(57)【要約】      （修正有）【課題】動作条件を設定する際のユーザーの手間を軽減することが可能な画像処理装置及び情報処理装置を提供すること。【解決手段】画像処理装置において、設定処理部１６１は、ユーザー操作に応じて画像読取部１２又は画像形成部１３の動作条件を設定する。コード出力処理部１６２は、設定処理部１６１により設定される動作条件に対応する設定コードを出力する。コード入力処理部１６３は、前記設定コードの入力を受け付ける。動作制御部１６４は、コード入力処理部１６３により受け付けられる前記設定コードに対応する動作条件に基づいて、画像読取部１２又は画像形成部１３を動作させる。【選択図】図１
2018042171.tif 000002
【特許請求の範囲】
【請求項１】
画像処理を行う画像処理部と、
ユーザー操作に応じて前記画像処理部の動作条件を設定する設定処理部と、
前記設定処理部により設定される動作条件に対応する設定コードを出力するコード出力処理部と、
前記設定コードの入力を受け付けるコード入力処理部と、
前記コード入力処理部により受け付けられる前記設定コードに対応する動作条件に基づいて前記画像処理部を動作させる動作制御部と、
を備える画像処理装置。
【請求項２】
表示部を更に備え、
前記コード出力処理部は、前記設定コードを前記表示部に表示する、
請求項１に記載の画像処理装置。
【請求項３】
前記コード出力処理部は、前記設定処理部により設定される動作条件に対応する一連のビット列を前記設定コードに変換して出力する、
請求項１又は請求項２に記載の画像処理装置。
【請求項４】
前記設定コードが、一連の文字列である、
請求項１〜３のいずれかに記載の画像処理装置。
【請求項５】
前記設定コードが、複数の数字のみからなる一連の文字列である、
請求項４に記載の画像処理装置。
【請求項６】
前記コード入力処理部により受け付けられる前記設定コードに対応する動作条件を修正する動作条件修正部を更に備え、
前記動作制御部は、前記動作条件修正部による修正後の動作条件に基づいて前記画像処理部を動作させる、
請求項１〜５のいずれかに記載の画像処理装置。
【請求項７】
前記コード出力処理部は、前記動作条件修正部による修正後の動作条件に対応する設定コードを出力する、
請求項６に記載の画像処理装置。
【請求項８】
前記コード入力処理部は、他の画像処理装置で出力された設定コードを受け付けることが可能である、
請求項１〜７のいずれかに記載の画像処理装置。
【請求項９】
前記コード入力処理部は、ハードキー又はソフトキーにより入力される文字列を前記設定コードとして受け付ける、
請求項１〜８のいずれかに記載の画像処理装置。
【請求項１０】
ユーザー操作に応じて画像処理装置の動作条件を設定する設定処理部と、
前記設定処理部により設定される動作条件に対応する設定コードを出力するコード出力処理部と、
前記設定コードの入力を受け付けるコード入力処理部と、
前記コード入力処理部により受け付けられる前記設定コードに対応する動作条件に基づいて前記画像処理装置を動作させるジョブコマンドを生成するコマンド生成部と、
前記コマンド生成部により生成される前記ジョブコマンドを前記画像処理装置に送信する送信処理部と、
を備える情報処理装置。
【発明の詳細な説明】
【技術分野】
【０００１】
本発明は、ユーザーにより指定された動作条件で画像処理を行う画像処理装置、及び当該画像処理装置を制御するための情報処理装置に関する。
【背景技術】
【０００２】
複写機などの画像処理装置では、一般に、部数、用紙サイズ、解像度、階調、両面印刷、レイアウト、ステープル、パンチなどの種々の動作条件を、ユーザーが自由に設定することが可能である（例えば、特許文献１参照）。
【先行技術文献】
【特許文献】
【０００３】
【特許文献１】特開平９−９３３７６号公報
【発明の概要】
【発明が解決しようとする課題】
【０００４】
しかしながら、複雑な動作条件を設定する場合には、設定作業に長時間を要してしまう。特に、過去に設定したことのある動作条件と同一の動作条件を再度設定したい場合でも、同一の動作条件を一から設定し直す必要があり、手間がかかってしまう。
【０００５】
本発明の目的は、動作条件を設定する際のユーザーの手間を軽減することが可能な画像処理装置及び情報処理装置を提供することにある。
【課題を解決するための手段】
【０００６】
本発明の一の局面に係る画像処理装置は、画像処理部と、設定処理部と、コード出力処理部と、コード入力処理部と、動作制御部と、を備える。前記画像処理部は、画像処理を行う。前記設定処理部は、ユーザー操作に応じて前記画像処理部の動作条件を設定する。前記コード出力処理部は、前記設定処理部により設定される動作条件に対応する設定コードを出力する。前記コード入力処理部は、前記設定コードの入力を受け付ける。前記動作制御部は、前記コード入力処理部により受け付けられる前記設定コードに対応する動作条件に基づいて前記画像処理部を動作させる。
【０００７】
本発明の一の局面に係る情報処理装置は、設定処理部と、コード出力処理部と、コード入力処理部と、コマンド生成部と、送信処理部と、を備える。前記設定処理部は、ユーザー操作に応じて画像処理装置の動作条件を設定する。前記コード出力処理部は、前記設定処理部により設定される動作条件に対応する設定コードを出力する。前記コード入力処理部は、前記設定コードの入力を受け付ける。前記コマンド生成部は、前記コード入力処理部により受け付けられる前記設定コードに対応する動作条件に基づいて前記画像処理装置を動作させるジョブコマンドを生成する。前記送信処理部は、前記コマンド生成部により生成される前記ジョブコマンドを前記画像処理装置に送信する。
【発明の効果】
【０００８】
本発明によれば、動作条件を設定する際のユーザーの手間を軽減することが可能な画像処理装置及び情報処理装置が提供される。
【図面の簡単な説明】
【０００９】
【図１】図１は、本発明の実施形態に係る画像処理装置のシステム構成を示すブロック図である。
【図２】図２は、本発明の実施形態に係る画像処理装置における操作表示部の構成を示す図である。
【図３】図３は、本発明の実施形態に係る画像処理装置で実行される動作制御処理の手順の一例を示すフローチャートである。
【図４】図４は、本発明の実施形態に係る画像処理装置で用いられる動作条件設定画面の一例を示す図である。
【図５】図５は、本発明の実施形態に係る画像処理装置で用いられる設定コードの生成方法の一例を示す図である。
【図６】図６は、本発明の実施形態に係る画像処理装置で用いられる動作条件設定画面の一例を示す図である。
【図７】図７は、本発明の実施形態に係る画像処理装置で用いられる動作条件設定画面の一例を示す図である。
【図８】図８は、本発明の他の実施形態に係る情報処理装置のシステム構成を示すブロック図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置の構成］
図１に示されるように、本発明の実施形態に係る画像処理装置１は、操作表示部１０、ＡＤＦ（Auto Document Feeder）１１、画像読取部１２、画像形成部１３、通信Ｉ／Ｆ１４、記憶部１５、及び制御部１６などを備える。具体的に、画像処理装置１は、プリンター機能、スキャナー機能、コピー機能、及びファクシミリ機能などを有する複合機である。なお、画像読取部１２又は画像形成部１３は、本発明の「画像処理部」の一例である。なお、本発明は、複合機に限らず、コピー機、プリンター、ファクシミリ装置、スキャナーのような任意の画像処理装置に適用可能である。
【００１２】
操作表示部１０は、図２に示されるように、ユーザー操作を受け付けるタッチパネル及び操作ボタンなどの操作部２１と、情報を表示する液晶ディスプレーなどの表示部２２とを備える。
【００１３】
ＡＤＦ１１は、原稿セット部、搬送ローラー、原稿押さえ、及び排紙部を備え、画像読取部１２の読み取り対象となる原稿を搬送する自動原稿搬送装置である。
【００１４】
画像読取部１２は、原稿台、光源、ミラー、光学レンズ、及びＣＣＤ（Charge Coupled Device）を備え、原稿の画像を読み取って画像データとして出力する画像読取処理（本発明の「画像処理」の一例）を実行する。
【００１５】
画像形成部１３は、電子写真方式又はインクジェット方式で画像データに基づく印刷処理を実行することが可能であり、前記画像データに基づいてシート上に画像を形成する画像形成処理（本発明の「画像処理」の一例）を実行する。例えば、画像形成部１３が電子写真方式の画像処理部である場合、画像形成部１３は感光体ドラム、帯電器、露光装置、現像装置、転写装置、及び定着装置などを備える。
【００１６】
通信Ｉ／Ｆ１４は、電話回線、インターネット、又はＬＡＮなどの通信網を介して、外部のファクシミリ装置、又はパーソナルコンピューターなどの情報処理装置５（図８参照）との間で所定の通信プロトコルに従った通信処理を実行することが可能な通信インターフェイスである。
【００１７】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。
【００１８】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１９】
具体的に、制御部１６は、設定処理部１６１、コード出力処理部１６２、コード入力処理部１６３、動作制御部１６４、及び動作条件修正部１６５を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２０】
設定処理部１６１は、ユーザー操作に応じて画像読取部１２又は画像形成部１３の動作条件を設定する。具体的には、設定処理部１６１は、操作部２１に対するユーザー操作に応じて、画像読取部１２による画像読取処理の画像読取条件、又は画像形成部１３による画像形成処理の画像形成条件を設定する。例えば、コピー処理時の動作条件として、部数、用紙サイズ、解像度、階調、両面印刷、レイアウト、ステープル、パンチなどの種々の動作条件を、ユーザーが自由に設定することが可能である。
【００２１】
しかしながら、複雑な動作条件を設定する場合には、設定作業に長時間を要してしまう。特に、過去に設定したことのある動作条件と同一の動作条件を再度設定したい場合でも、同一の動作条件を一から設定し直す必要があり、手間がかかってしまう。これに対して、本実施形態の画像処理装置１では、以下で説明するような構成及び動作により、動作条件を設定する際のユーザーの手間を軽減することが可能である。
【００２２】
コード出力処理部１６２は、設定処理部１６１により設定される動作条件に対応する設定コード４１（図４参照）を出力する。例えば、コード出力処理部１６２は、設定コード４１を表示部２２に表示する。設定コード４１は、設定処理部１６１により設定される動作条件を示すコードであり、動作条件が変化すれば、それに応じて設定コード４１も変化する。設定コード４１は、例えば、設定処理部１６１により設定される動作条件に対応する一連の文字列である。設定コード４１は、複数の数字のみからなる一連の文字列であってもよい（図５（ｂ）参照）。なお、設定コード４１の生成方法については後述する。
【００２３】
コード入力処理部１６３は、設定コード４１の入力を受け付ける。例えば、コード入力処理部１６３は、ハードキー（図２参照）又はソフトキー（図６参照）により入力される文字列を、設定コード４１として受け付ける。なお、コード入力処理部１６３は、画像処理装置１のコード出力処理部１６２により出力された設定コード４１に限らず、コード出力処理部１６２を備える他の画像処理装置又は情報処理装置５（図８参照）で出力された設定コード４１を受け付けることも可能である。同様に、画像処理装置１のコード出力処理部１６２により出力された設定コード４１が、コード入力処理部１６３を備える他の画像処理装置又は情報処理装置５に入力されてもよい。
【００２４】
動作制御部１６４は、設定処理部１６１により設定される動作条件、又はコード入力処理部１６３により受け付けられる設定コード４１に対応する動作条件に基づいて画像読取部１２又は画像形成部１３を動作させる。
【００２５】
動作条件修正部１６５は、コード入力処理部１６３により受け付けられる設定コード４１に対応する動作条件を、必要に応じて修正する。具体的には、入力された設定コード４１に対応する動作条件に、画像処理装置１が対応していない動作条件が含まれる場合に、動作条件修正部１６５は、当該動作条件を、画像処理装置１が対応している動作条件へと修正する。例えば、カラー印刷に対応していない画像処理装置１において、入力された設定コード４１に対応する動作条件に「フルカラー」が含まれていた場合に、動作条件修正部１６５は、当該「フルカラー」の動作条件を「白黒」に変更する。
【００２６】
入力された設定コード４１に対応する動作条件が動作条件修正部１６５により修正された場合、コード出力処理部１６２は、動作条件修正部１６５による修正後の動作条件に対応する設定コード４１を出力してもよい（図７参照）。
【００２７】
入力された設定コード４１に対応する動作条件が動作条件修正部１６５により修正された場合、動作制御部１６４は、修正後の動作条件に基づいて、画像読取部１２又は画像形成部１３を動作させる。
【００２８】
［動作制御処理］
次に、図３を参照しつつ、制御部１６によって実行される動作制御処理の手順の一例について説明する。ここで、ステップＳ１１，Ｓ１２，・・・は、制御部１６により実行される処理手順（ステップ）の番号を表している。なお、前記動作制御処理は、例えば、操作部２１に対する特定の操作（例えば、［コピー］キーの押下）が検知されたことに応じて開始される。
【００２９】
＜ステップＳ１１＞
まず、ステップＳ１１において、制御部１６（設定処理部１６１）は、画像読取部１２又は画像形成部１３の動作条件を設定するための動作条件設定画面３０（図４参照）を表示部２２に表示する。動作条件設定画面３０には、コード入力ボタン３１、及び複数の設定ボタン３２が表示されている。いずれかの設定ボタン３２が押下されると、例えば、押下された設定ボタン３２に対応する画面がポップアップ表示される。例えば、［用紙選択］と記された設定ボタン３２が押下されると、用紙サイズをユーザーに選択させるための画面がポップアップ表示される。
【００３０】
＜ステップＳ１２＞
ステップＳ１２において、制御部１６は、動作条件設定画面３０に対するユーザー操作によって動作条件が変更されたか否かを判断する。そして、動作条件が変更されたと判断されると（Ｓ１２：Ｙｅｓ）、処理がステップＳ１３に移行する。一方、動作条件が変更されていないと判断されると（Ｓ１２：Ｎｏ）、処理がステップＳ１５に移行する。
【００３１】
＜ステップＳ１３＞
ステップＳ１３において、制御部１６（コード出力処理部１６２）は、現在設定されている動作条件（すなわち、変更後の動作条件）に対応する設定コード４１を生成する。例えば、コード出力処理部１６２は、図５に示されるように、設定処理部１６１により設定される動作条件に対応する一連のビット列４０を設定コード４１に変換して出力する。当該ビット列４０は、例えば、前記ＲＡＭに記憶され、動作条件設定画面３０に対するユーザー操作に応じて随時更新される。
【００３２】
図５の（ａ）に示されるビット列４０における最初の４ビット（第１〜第４ビット）は、用紙サイズを示している。例えば、「００００」は「Ａ１サイズ」を示しており、「０００１」は「Ａ２サイズ」を示しており、「００１０」は「Ａ３サイズ」を示しており、「００１１」は「Ａ４サイズ」を示している。ビット列４０における次の２ビット（第５〜第６ビット）は、印刷の向きを示している。例えば、「００」は「縦向き」を示しており、「０１」は「横向き」を示している。ビット列４０における更に次の４ビット（第７〜第１０ビット）は、解像度を示している。例えば、「００００」は「６００ｄｐｉ」を示しており、「０００１」は「１２００ｄｐｉ」を示している。ビット列４０における更に次の４ビット（第１１〜第１４ビット）は、余白の大きさを示している。例えば、「００００」は「狭い」を示しており、「０００１」は「広い」を示しており、「００１０」は「なし」を示している。
【００３３】
コード出力処理部１６２は、図５に示されるビット列４０を、予め定められた変換方法で、設定コード４１に変換して出力する。なお、前記変換方法としては、種々の方法が考えられる。例えば、コード出力処理部１６２は、ビット列４０を１０進数に変換することによって、図５の（ｂ）に示されるように、０〜９の数字で構成される設定コード４１を生成してもよい。この場合、設定コード４１が数字のみで構成されるため、テンキーのみを用いて設定コード４１を入力することが可能である。もしくは、コード出力処理部１６２は、予め定められた任意の文字コード表を用いて、図５の（ｃ）に示されるように、アルファベットと数字とで構成される設定コード４１を生成してもよい。これにより、設定コード４１の文字列の長さをより短くすることができる。
【００３４】
＜ステップＳ１４＞
ステップＳ１４において、制御部１６（コード出力処理部１６２）は、例えば図４に示されるように、前記ステップＳ１３で生成された設定コード４１を表示部２２に表示する。ユーザーは、表示部２２に表示された設定コード４１をノートなどに書き留めておき、後日、当該設定コード４１を画像処理装置１に入力することによって、現在設定されている動作条件と同一の動作条件を簡単に再設定することができる。なお、表示部２２に表示された設定コード４１は、他の画像処理装置又は情報処理装置５（図８参照）に入力されてもよい。これにより、画像処理装置１において現在設定されている動作条件と同一の動作条件を、他の画像処理装置又は情報処理装置５において簡単に設定することができる。
【００３５】
＜ステップＳ１５＞
ステップＳ１５において、制御部１６（コード入力処理部１６３）は、設定コード４１が入力されたか否かを判断する。例えば、動作条件設定画面３０におけるコード入力ボタン３１が押下されたことが検知されると、制御部１６は、例えば、図６に示されるように、コード入力欄３３及びソフトウェアキーボード３４を表示部２２に表示する。ユーザーは、テンキー（ハードキー）及びソフトウェアキーボード３４を操作することにより、ノートなどに書き留めておいた設定コード４１を入力することができる。
【００３６】
ステップＳ１５において、設定コード４１が入力されたと判断されると（Ｓ１５：Ｙｅｓ）、処理がステップＳ１６に移行する。一方、設定コード４１が入力されていないと判断されると（Ｓ１５：Ｎｏ）、処理がステップＳ２０に移行する。
【００３７】
＜ステップＳ１６＞
ステップＳ１６において、制御部１６（動作条件修正部１６５）は、入力された設定コード４１に対応する動作条件に、画像処理装置１が対応していない動作条件が含まれているか否かを判断する。そして、画像処理装置１が対応していない動作条件が含まれていると判断されると（Ｓ１６：Ｙｅｓ）、処理がステップＳ１７に移行する。一方、画像処理装置１が対応していない動作条件が含まれていないと判断されると（Ｓ１６：Ｎｏ）、処理がステップＳ１９に移行する。
【００３８】
＜ステップＳ１７＞
ステップＳ１７において、制御部１６（動作条件修正部１６５）は、入力された設定コード４１に対応する動作条件のうち、画像処理装置１が対応していない動作条件を、画像処理装置１が対応している動作条件へと修正する。例えば、カラー印刷に対応していない画像処理装置１において、入力された設定コード４１に対応する動作条件に「フルカラー」が含まれていた場合に、動作条件修正部１６５は、当該「フルカラー」の動作条件を「白黒」に変更する。
【００３９】
＜ステップＳ１８＞
ステップＳ１８において、制御部１６は、例えば、図７に示されるような変更通知メッセージ３５を表示部２２に表示する。当該変更通知メッセージ３５には、修正後の動作条件に対応する設定コード４１が含まれていてもよい。これにより、ユーザーは、表示部２２に表示された設定コード４１（画像処理装置１に適合する設定コード４１）をノートなどに書き留めておき、後日、当該設定コード４１を画像処理装置１に入力することによって、修正後の動作条件と同一の動作条件を簡単且つ適切に再設定することができる。
【００４０】
なお、図７の変更通知メッセージ３５に示されているように、入力された設定コード４１と変更後の設定コード４１との相違部分が強調表示されてもよい。これにより、ユーザーは、ノートなどに書き留められた設定コード４１を素早く修正することができる。
【００４１】
＜ステップＳ１９＞
ステップＳ１９において、制御部１６（設定処理部１６１）は、入力された設定コード４１、もしくは前記ステップＳ１７における修正後の動作条件に対応する設定コード４１に基づいて、画像読取部１２又は画像形成部１３の動作条件を設定する。
【００４２】
＜ステップＳ２０＞
ステップＳ２０において、制御部１６は、画像処理の開始を指示する開始操作（例えば、開始キーの押下）が行われたか否かを判断する。そして、前記開始操作が行われたと判断されると（Ｓ２０：Ｙｅｓ）、処理がステップＳ２１に移行する。一方、前記開始操作が行われていないと判断されると（Ｓ２０：Ｎｏ）、処理が前記ステップＳ１２に戻る。
【００４３】
＜ステップＳ２１＞
ステップＳ２１において、制御部１６（動作制御部１６４）は、現在設定されている動作条件に基づいて、画像読取部１２又は画像形成部１３を動作させる。そして、前記動作制御処理が終了する。
【００４４】
以上のように、本実施形態に係る画像処理装置１によれば、ユーザー操作に応じて動作条件が設定されたときに、設定された動作条件に対応する設定コード４１が表示部２２に表示される。そして、例えば後日、当該設定コード４１が入力されると、当該設定コード４１に対応する動作条件が設定される。よって、ユーザーは、過去に設定したことのある動作条件と同一の動作条件を再度設定したい場合に、設定コード４１を入力するだけで同一の動作条件を簡単に設定することができる。
【００４５】
［変形例］
なお、上記実施形態では、設定コード４１が一連の文字列であるが、本発明はこれに限定されない。他の実施形態では、設定コード４１が、例えばバーコード又は二次元コードであってもよい。
【００４６】
また、上記実施形態では、設定コード４１が表示部２２に表示されるが、本発明はこれに限定されない。他の実施形態では、コード出力処理部１６２が、所定の通信インターフェイス（例えば、カードリーダー、メモリースロット、ＮＦＣなど）を通じて、ユーザーが所有する記憶媒体（例えば、ＩＣカード、ＵＳＢメモリー、携帯端末など）に設定コード４１を書き込んでもよい。この場合、コード入力処理部１６３は、ハードキー又はソフトキーによる文字列の入力に代えて、所定の通信インターフェイスを通じて、前記記憶媒体から前記設定コード４１を読み出してもよい。
【００４７】
なお、前述のように、コード出力処理部１６２が前記記憶媒体に設定コード４１を書き込む実施形態において、前記記憶媒体が画像処理装置１に接続されている状態（例えば、ＵＳＢメモリーがメモリースロットに装着されている状態）で画像処理が実行された場合に、コード出力処理部１６２が、当該画像処理の動作条件に対応する設定コード４１を前記記憶媒体に自動的に書き込んでもよい。
【００４８】
なお、前述のように、コード入力処理部１６３が前記記憶媒体から設定コード４１を読み出す実施形態において、画像処理装置１に原稿がセットされた状態で、設定コード４１が記憶された前記記憶媒体が画像処理装置１に接続された場合（例えば、設定コード４１が記憶されたＵＳＢメモリーがメモリースロットに装着された場合）に、制御部１６が、当該設定コード４１に対応する動作条件で前記原稿のコピー処理を自動的に開始してもよい。
【００４９】
また、前述のように、コード入力処理部１６３が前記記憶媒体から設定コード４１を読み出す実施形態において、画像データ及び設定コード４１が記憶された前記記憶媒体が画像処理装置１に接続された場合に、制御部１６が、当該設定コード４１に対応する動作条件で前記画像データの印刷処理を自動的に開始してもよい。もしくは、制御部１６が、前記記憶媒体内の画像データの印刷処理を行うべきか、画像読取部１２で原稿を読み取ってコピー処理を行うべきかをユーザーに選択させてから、前記設定コード４１に対応する動作条件で前記印刷処理又は前記コピー処理を開始してもよい。
【００５０】
また、上記実施形態では、設定コード４１に関連する機能が画像処理装置１に設けられているが、他の実施形態では、設定コード４１に関連する機能が、画像処理装置１と通信可能な情報処理装置５（ホスト装置）に設けられていてもよい。以下、図８を参照して、当該他の実施形態について説明する。
【００５１】
情報処理装置５は、例えば、ＬＡＮなどのネットワーク６を通じて画像処理装置１と通信可能である。情報処理装置５は、例えば、画像処理装置１を制御するためのソフトウェア（例えば、プリンタードライバー）がインストールされたパーソナルパソコンである。
【００５２】
図８に示されるように、情報処理装置５は、操作部５０、表示部５１、通信Ｉ／Ｆ５２、記憶部５３、及び制御部５６を備える。操作部５０は、例えばキーボード又はマウスである。表示部５１は、例えば液晶ディスプレーである。通信Ｉ／Ｆ５２は、ネットワーク６を介して画像処理装置１との間で所定の通信プロトコルに従った通信処理を実行することが可能な通信インターフェイスである。記憶部５３は、例えばハードディスクである。記憶部５３には、制御部５６によって実行される各種の制御プログラム（例えば、プリンタードライバー、文書作成ソフトウェアなど）が記憶される。
【００５３】
制御部５６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００５４】
具体的に、制御部５６は、設定処理部５６１、コード出力処理部５６２、コード入力処理部５６３、コマンド生成部５６４、及び送信処理部５６５を含む。なお、制御部５６は、前記制御プログラムに従って各種の処理を実行することによりこれらの各処理部として機能する。また、制御部５６は、これらの各処理部の一部又は複数の処理機能を実現する電子回路を備えるものであってもよい。
【００５５】
設定処理部５６１は、ユーザー操作に応じて画像処理装置１の動作条件を設定する。コード出力処理部５６２は、設定処理部５６１により設定される動作条件に対応する設定コード４１を出力する（例えば、表示部５１に表示する）。コード入力処理部５６３は、例えば操作部５０を通じて、設定コード４１の入力を受け付ける。コマンド生成部５６４は、コード入力処理部５６３により受け付けられる設定コード４１に対応する動作条件に基づいて画像処理装置１を動作させるジョブコマンド（例えば、前記文書作成ソフトウェアを用いて作成された文書データを印刷するプリントジョブコマンド）を生成する。送信処理部５６５は、コマンド生成部５６４により生成される前記ジョブコマンドを画像処理装置１に送信する。
【００５６】
このように、図８に示される実施形態でも、ユーザー操作に応じて動作条件が設定されたときに、設定された動作条件に対応する設定コード４１が例えば表示部５１に表示される。そして、例えば後日、操作部５０を通じて当該設定コード４１が入力されると、当該設定コード４１に対応する動作条件が設定される。よって、ユーザーは、過去に設定したことのある動作条件と同一の動作条件を再度設定したい場合に、設定コード４１を入力するだけで同一の動作条件を簡単に設定することができる。
【符号の説明】
【００５７】
１  画像処理装置
６  ネットワーク
１０  操作表示部
１２  画像読取部
１３  画像形成部
１６  制御部
２１  操作部
２２  表示部
３０  動作条件設定画面
４１  設定コード
１６１  設定処理部
１６２  コード出力処理部
１６３  コード入力処理部
１６４  動作制御部
１６５  動作条件修正部
【図１】
2018042171.tif 000003
【図２】
2018042171.tif 000004
【図３】
2018042171.tif 000005
【図４】
2018042171.tif 000006
【図５】
2018042171.tif 000007
【図６】
2018042171.tif 000008
【図７】
2018042171.tif 000009
【図８】
2018042171.tif 000010